(57)【要約】      （修正有）【課題】可撓性パイプがワイパーアームの角度的往復運動中に損傷を受ける危険性がなく、同時に、液体を清掃され／拭き取られる表面に可能な限り近づけて到達させるように保つように、ワイパーブレードラバーおよび／またはワイパーアームと共に動く可撓性パイプを駆動するワイパー装置を提供する。【解決手段】車両ワイパー装置のワイパーアームの駆動部に収容されるように意図されたキャップ（１）であって、前記キャップ（１）を、前記駆動部を固定するための固定手段（１５）に取り付けることが可能な、少なくとも１つの協調手段（１７）を備え、流体輸送パイプ（４）を収容するための、少なくとも１つの収容手段（１８）を備え、当該液体は、好ましくは、ワイパーアームによって支持されたワイパーブレードに向かって搬送されるか、またはワイパーアームによって支持されたスプレー手段に向かって搬送されることを特徴とするキャップ（１）。【選択図】図２
2018167826.tif 000002
【特許請求の範囲】
【請求項１】
車両ワイパー装置のワイパーアーム（１４）の駆動部（６）に収容されるように意図されたキャップ（１）であって、
前記キャップ（１）を、前記駆動部（６）を固定するための固定手段（１５）に取り付けることが可能な、少なくとも１つの協調手段（１７）を備え、
流体輸送パイプ（４）を収容するための少なくとも１つの収容手段（１８）を備え、
当該液体は、好ましくは、前記ワイパーアーム（１４）によって支持されたワイパーブレードに向かって搬送されるか、または前記ワイパーアーム（１４）によって支持されたスプレー手段に向かって搬送されることを特徴とするキャップ（１）。
【請求項２】
前記流体輸送パイプ（４）を収容するための前記収容手段（１８）は、前記キャップ（１）の上壁（３）に配置された溝（５）からなり、当該溝は、好ましくは、前記流体輸送パイプ（４）が前記キャップに取り付けられたときに、前記流体輸送パイプ（４）が前記キャップ（１）の前記上壁（３）と同一平面に位置するように形成される、請求項１に記載のキャップ（１）。
【請求項３】
前記溝（５）は、前記流体輸送パイプ（４）の少なくとも１つの長手方向部分（１９）の形状を補完する形状を有する、請求項２に記載のキャップ（１）。
【請求項４】
前記流体輸送パイプ（４）を前記溝（５）内に保持するための少なくとも１つの維持手段（２３）を含む、請求項２または３に記載のキャップ（１）。
【請求項５】
前記パイプ（４）を保持するための前記維持手段（２３）は、前記溝（５）の開口部（５０）を画定する縁部（２４）を越えて突出する少なくとも１つの突起部（５２ａ、５２ｂ）からなる、請求項４に記載のキャップ（１）。
【請求項６】
前記維持手段（２３）は、前記溝（５）の開口部（５０）を画定する各々の前記縁部（２４）に対面するように配置され、当該開口部（５０）の部分的な閉鎖を形成するために、互いに向かって延びる第１突起部（５２ａ）および第２突起部（５２ｂ）を含む、請求項４または５に記載のキャップ（１）。
【請求項７】
前記協調手段（１７）は、前記キャップ（１）の一部を形成する基部（２）の内壁（２１）から出現するとともに、前記キャップ（１）によって画定される内部容積（Ｖ）内に延びる少なくとも１つの突出部（２０）からなる、請求項１乃至６のいずれか一項に記載のキャップ（１）。
【請求項８】
下端部（１６）で開口するとともに、前記上壁（３）によって上端部で閉鎖された基部（２）を含み、当該上壁（３）は、前記流体輸送パイプ（４）を収容する、請求項２乃至７のいずれか一項に記載のキャップ（１）。
【請求項９】
前記キャップ（１）の頂部から見たときに、前記基部（２）は円筒形状または円錐台形状であり、前記上壁（３）は凸状である、請求項８に記載のキャップ（１）。
【請求項１０】
少なくともワイパーアーム（１４）と、請求項１乃至９のいずれか一項に記載のキャップ（１）とを備える、ワイパー装置。
【請求項１１】
前記ワイパーアーム（１４）は、ロックナット（８）を使用して、前記ワイパーアーム（１４）の回転を駆動する駆動軸（７）に固定されるように意図された駆動部（６）を含み、
前記協調手段（１７）は、前記キャップ（１）の一部を形成する基部（２）の内壁（２１）から出現する少なくとも１つの突出部（２０）からなり、
当該突出部（２０）は、前記ナット（８）の面の１つに接触して支持するように寸法決めされている、請求項１０に記載のワイパー装置。
【請求項１２】
少なくとも１つの流体輸送パイプ（４）を備え、前記流体輸送パイプ（４）の少なくとも長手方向部分（１９）が、前記キャップ（１）の上壁（３）に形成された前記収容手段（１８）内に挿入されている、請求項１０または１１に記載のワイパー装置。
【請求項１３】
前記駆動部（６）は、少なくとも１つの通路開口（６１）を備え、前記流体輸送パイプ（４）は、前記ワイパーアーム（１４）に沿って長手方向に延びるように、前記通路開口（６１）を通過する、請求項１１または１２に記載のワイパー装置。
【発明の詳細な説明】
【技術分野】
【０００１】
本発明は自動車用ワイパー装置の分野に関する。より詳細には、拭き取られる表面を清掃するために液体を分配する機能を組み込んだワイパー装置に関する。
【背景技術】
【０００２】
自動車には、一般に、ガラス表面、特に車両のフロントガラスおよびリアウインドウを洗浄するとともに拭き取り、運転者の周囲の視界が妨げられることを抑制するために、ワイパーシステムが装備されている。これらのワイパーは、慣例的に、ワイパーアームによって運動が駆動される、弾性材料で作られたワイパーブレードラバーを支持する細長いブレードを備え、これらは、適切な接続組立体によってワイパーアームに取り付けられている。このワイパーアーム自体は、ある角度における往復運動を駆動する駆動装置に接続されている。ワイパーブレードラバーは、ガラス表面に擦り付けられて水および汚れを取り除き、運転者の視界からこれらを掃除する。このようなワイパーの性能を改善させるために、拭き取られる表面を清掃するための清掃液が、ワイパーブレードラバーに可能な限り近づけて搬送され得ることが有利である。このような液体は、車両のボンネットの下方に位置するリザーバに貯蔵され、可撓性のパイプを介してワイパーブレードまたはワイパーアームに搬送され、適切な分配組立体を使用して、清掃される表面に可能な限り近づけて分配される。したがって、対処すべき問題は、可撓性パイプがワイパーアームの角度的往復運動中に損傷を受ける危険性がなく、同時に、液体を清掃され／拭き取られる表面に可能な限り近づけて到達させるように保つように、ワイパーブレードラバーおよび／またはワイパーアームと共に動く可撓性パイプを駆動することである。
【発明の概要】
【発明が解決しようとする課題】
【０００３】
本発明の目的は、この問題に対処する装置を提案することであり、このような装置の信頼性は商業的開発にとって重要な要因である。
【課題を解決するための手段】
【０００４】
この目的のために、本発明の主題の１つは、車両ワイパー装置のワイパーアームの駆動部を収容されるように意図されたキャップであって、キャップを、駆動部を固定するための固定手段に取り付けることが可能な、少なくとも１つの協調手段を備え、流体輸送パイプを収容するための少なくとも１つの収容手段を備え、当該液体は、好ましくは、ワイパーアームによって支持されたワイパーブレードに向かって搬送されるか、またはワイパーアームによって支持されたスプレー手段に向かって搬送されるキャップである。有利には、問題になっている流体は、拭き取られる表面を清掃するための液体である。
【０００５】
キャップは有利には、単独または組み合わせて考えられる以下の特徴の少なくとも１つを示す：
−流体輸送パイプを収容するための収容手段は、キャップの上壁に配置された溝からなり、当該溝は、好ましくは、流体輸送パイプがキャップに取り付けられたときに、流体輸送パイプがキャップの上壁と同一平面に位置するように形成される。
−溝は、流体輸送パイプの少なくとも１つの長手方向部分の形状を補完する形状を有する。
−上壁は、キャップによって画定される内部容積に連絡する溝によって画定される容積を収容する少なくとも１つの開口部を示している。
−流体輸送パイプを溝内に保持するための少なくとも１つの維持手段を含んでいる。
−パイプを保持するための維持手段は、溝の開口部を画定する縁部を越えて突出する少なくとも１つの突起部からなる。
−維持手段は、溝の開口部を画定する各々の縁部に対面するように配置され、当該開口部の部分的な閉鎖を形成するために、互いに向かって延びる第１突起部および第２突起部を含んでいる。
−協調手段は、キャップの一部を形成する基部の内壁から出現するとともに、キャップによって画定される内部容積内に延びる少なくとも１つの突出部からなる。
−下端部で開口するとともに、上壁によって上端部で閉鎖された基部を含み、当該上壁は、流体輸送パイプを収容する。
−キャップの頂部から見たときに、基部は円筒形状または円錐台形状であり、上壁は凸状である。
【０００６】
また、本発明は、少なくともワイパーアームと、上述したキャップとを備える、ワイパー装置にまで及んでいる。
【０００７】
有利には、ワイパーアームは、ロックナットを使用して、ワイパーアームの回転を駆動する駆動軸に固定されるように意図された駆動部を含み、協調手段は、キャップの一部を形成する基部の内壁から出現する少なくとも１つの突出部からなり、当該突出部は、ナットの面の１つに接触して支持するように寸法決めされている。基部は、例えば中空である。
【０００８】
上述した装置は、少なくとも１つの流体輸送パイプを組み込み、流体輸送パイプの少なくとも長手方向部分が、キャップの上壁に形成された収容手段内に挿入されている。
【０００９】
例示的な一実施の形態によれば、駆動部は、少なくとも１つの通路開口を備え、流体輸送パイプは、ワイパーアームに沿って長手方向、特にワイパーアームと窓パネルとの間に延びるように、通路開口を通過する。
【００１０】
本発明の更なる特徴、詳細および利点は、以下の図面とともに示された説明を読むことにより、より明確に明らかになるであろう。
【図面の簡単な説明】
【００１１】
【図１】図１は、本発明の一実施の形態によるキャップの上部の概略斜視図である。
【図２】図２は、ワイパーアームの駆動部上に置かれた、本発明によるキャップの概略斜視図である。
【図３】図３は、流体輸送パイプが固定されたワイパーアームに取り付けられたキャップを上方から示す全体図である。
【発明を実施するための形態】
【００１２】
まず、図面は、本発明を実施するために本発明を詳細に説明しているが、必要に応じて、当該図面が本発明をより良く定義するために使用されても良いことに留意されたい。
【００１３】
以下の説明では、長手方向または横方向といった名称は、ワイパーアームの方向に対して定義される。長手方向はワイパーアームの主軸が延びる方向に対応し、横方向は、長手方向に交差し、特に、ワイパーアームの長手軸に対して垂直に交差する。上方、下方との名称は、ワイパーアームが車両に設置されたときに、使用者の視界に対して定義され、上方からの視界は、車両の外側から視認可能なものに対応する。上部または下部として参照される方向、並びに頂部および底部の方向は、ワイパーアーム駆動スピンドルに対して定義され、下部との名称は、拭き取られる表面を含む。
【００１４】
上述した方向は、図示されている直交座標系ＯＸＹＺにおいても見られることができる。
【００１５】
図１および図２を参照すると、本発明の一実施の形態によるキャップ１は、円筒部分によって形成された、全体として円筒形状の基部２を備えている。また、この基部２は、中空であり、その下部において開口している。基部２の上部は、閉鎖されている。この上部は上壁３の形態をとり、上壁３の全体の形状は例えば凸状である。より具体的には、上壁３の凸形状は、半球形であり、上壁３は、キャップ１によって画定された中空内部容積Ｖから離れるように延びている。ここで、上述した方向を参照して、上壁３は、外方かつキャップ１の頂部に向かって延びていることが理解されよう。
【００１６】
あるいは、基部２は、円錐台形状であってもよく、下部においてより大きい直径を有していてもよい。
【００１７】
１つの代案によれば、上壁３は凹形状であってもよい。このような場合、上壁３は、キャップ１の頂部から見てカップを形成する。
【００１８】
両方の場合において、基部２が上壁３と交わる場所で形成される角部は、丸みを帯びた形状となる。これにより、歩行者への衝撃に関する法律（pedestrian-impact legislation）によって禁止されている鋭い縁部を回避する。
【００１９】
有利には、キャップ１は、後述するように、適所に嵌合および保持されることが可能になるように、適切な弾性と適切な剛性の両方を示すポリマー材料で作られている。
【００２０】
本発明では、流体輸送パイプ４を収容する収容手段１８が、キャップ１の上壁３に配置されている。
【００２１】
図示された実施の形態によれば、収容手段１８は、例えばこのようなパイプの長手方向部分１９の形状を補完する形状の溝５の形態をとる。より具体的には、図２に示すように、溝５は、軸がキャップ１の基部２の回転軸に垂直に延び、その直径が流体輸送パイプ４の外径よりわずかに大きい円筒の一部分の形状を実質的に有している。
【００２２】
長手方向には、溝５は、それが配置される上壁３の全直径にわたって延びている。ＯＺ軸に沿って、溝５は、有利には、本発明によるキャップ１の上壁３の凸形状または凹形状の頂部に構成されている。溝５は、有利には、上壁３を画定する上面３０の頂部における開口部５０内に、その上部を開口するように構成されている。
【００２３】
溝５は、流体輸送パイプ４がその中に収容されているとき、このパイプの外面の最上部が、キャップ１の上壁３の上面３０と同一平面に位置するように構成されていることに留意されたい。言い換えれば、一旦、流体輸送パイプ４がキャップ１の溝５内に収容されると、このパイプ４はキャップ１の頂部の上方には延びない。換言すれば、キャップがパイプ４に嵌合されているか否かにかかわらず、キャップ１が占める全体の空間は、特に高さに関して同じままである。
【００２４】
図１においてより詳細に示す本発明の実施の形態によれば、溝５は、その下部において、キャップ１によって画定された内部容積Ｖに開口する孔５１を備えている。他の実施の形態によれば、キャップ１の上壁３の厚みは、溝５が、その下部において、キャップ１の内部容積Ｖに開口しないように選択され得る。このような場合、溝５は、キャップ１の一方の側から他方の側まで連続的に延びる底部を備えている。
【００２５】
本発明の１つの有利な特徴によれば、溝５の形状および寸法は、一旦、その中に収容されると、流体輸送パイプ４がその中に維持され、使用者の意図的な動作によってのみ、そこから取り除かれることができるように画定される。この目的のために、少なくとも１つの維持手段２３が、開口部５０を画定する少なくとも１つの縁部２４に構成されている。
【００２６】
図示された本発明の実施の形態によれば、この維持手段２３は、少なくとも１つの突起部、特に第１突起部５２ａおよび第２突起部５２ｂの形態をとり、各突起部５２ａ、５２ｂは、開口部５０を画定する縁部２４を越えて延びている。これらの突起部５２ａおよび５２ｂは、上壁３の上面３０の頂部において、溝５に対して対称的に配置されてもよい。
したがって、第１突起部５２ａおよび第２突起部５２ｂは、キャップ１の回転軸を通り、溝５が長手方向に延びる平面に対して対称であってもよい。本発明はまた、別の対称性も提供する。第１突起部５２ａおよび第２突起部５２ｂは、キャップ１の回転軸を通り、溝５が沿って延びる長手軸に垂直な平面に関して対称であってもよい。
【００２７】
第１突起部５２ａおよび第２突起部５２ｂは、例えば、対面するように、開口部５０の両側に配置される。この場合、２つの突起部５２ａ、５２ｂは、互いに向かって延び、キャップ１の頂部に、溝５の開口部５０の部分的な閉鎖を作り出す。パイプ４が溝５内に案内されることができるような小さな寸法のものであっても、第１突起部５２ａおよび第２突起部５２ｂは、一旦、流体輸送パイプ４がこの溝５に係合されると、このパイプの上方への移動を抑制し、それにより溝５から離れることを抑制することを可能にする。これにより、パイプ４を所定位置に保持する機能が果たされる。
【００２８】
本発明の他の実施の形態によれば、第１突起部および第２突起部は、溝５の開口部５０の両側に対面するように設置されるのではなく、本発明を損なうことなく、この開口部５０に対してオフセットされた位置、すなわち溝の長手軸に沿ってオフセットされて配置されてもよい。この解決策は、パイプを溝内に挿入することを容易にし、溝５のほぼ全長にわたって、このパイプを保持するので有利である。
【００２９】
更に他の実施の形態によれば、溝５の縁部２４の１つに単一の突起部が構成されていてもよい。この代替案では、溝５の他の縁部は突起部を有していない。
【００３０】
流体輸送パイプ４は、このパイプの長手方向部分１９と溝５との協調によって、パイプ４に、図２の矢印Ｆで示される方向への単純な圧力を作用させることにより、本発明によるキャップ１と共に組み立てられている。この圧力の影響下かつパイプ４が作られる材料の弾性により、このパイプは変形して、それぞれ５２ａおよび５２ｂで参照される第１突起部および第２突起部を克服する。したがって、パイプ４は、第１および第２突起部５２ａ、５２ｂがパイプ４を少なくとも部分的に覆うとき、溝５に挿入されるようになり、クリッピングによって保持される。有利には、上壁３の断面の厚みおよび形状は、第１および第２突起部５２ａ、５２ｂにおいて、パイプ４が溝５内に挿入されているときに、それらが互いに分離しないように、これらの第１および第２突起部５２ａ、５２ｂがある程度の剛性を有するように確定されることに留意されたい。また、パイプ４は、自由端部を有する場合には、この端部によって長手方向に沿って溝５内に案内されてもよく、第１および第２突起部５２ａ、５２ｂは、パイプ４を溝５内に案内する役割を果たす。
【００３１】
本発明の別の特徴によれば、キャップ１は、ワイパーアーム１４を構成する駆動部６と協調する少なくとも１つの手段１７を備えている。より具体的には、協調手段１７は、キャップ１を、アーム１４を回転駆動装置に取り付ける少なくとも１つの固定手段１５に対して、可逆的に接続または取り付ける。
【００３２】
図２に詳細に示すように、ワイパーアーム１４の駆動部６は、回転駆動装置の軸７が通る孔を含んでいる。この軸７は、ワイパーアーム１４がある角度において往復運動で駆動される軸Ｘが中心にくるように置かれている。図示された実施の形態によれば、軸７は、ワイパーアーム１４の駆動部６に形成された孔に収容され、固定手段１５によってその中に係止される。固定手段１５は、例えば、ナット８およびワッシャ９の形態を取り得る。ここに示す実施の形態によれば、キャップ１の回転軸は、ワイパーアーム１４の回転軸Ｘと一致する。
【００３３】
本発明によれば、キャップ１は、ナット８およびワッシャ９、より一般的には駆動部６を軸７に固定するための手段１５と協調する手段１７を備えている。第１に、より詳細に図示された実施の形態によれば、キャップ１の基部２の壁の厚みと、基部２の下端部１６の外径とは、ワッシャ９が、キャップ１によって画定される内部容積Ｖ内に収容され得るように、画定されている。言い換えれば、キャップ１は、ワッシャ９上で嵌合され、ワッシャ９を内部容積Ｖ内に完全に収容することができ、このキャップ１の基部２の下面２２が、駆動部６の上面６０に接触して支持するようになる。キャップ１は、例えば、塵、ゴミ、外部から来る雨水のしぶきから、ワッシャ９とナット８とによって形成された組立体を保護することができるようになる。
【００３４】
図２により詳細に示す実施の形態によれば、駆動部６を軸７に固定するための、キャップ１と固定手段１５との協調手段１７は、少なくとも１つの突出部、潜在的に複数の突出部２０を備えている。突出部２０は、キャップ１の基部２の内壁２１から出現する。言い換えれば、これらの突出部２０は、キャップ１の内壁から出現するリブを形成し、これらの突出部は、キャップ１によって画定される内部容積Ｖ内に延びている。
【００３５】
図２に示す実施の形態によれば、突出部２０のレイアウトは、一旦、キャップ１がナット８およびワッシャ９上に置かれると、少なくとも１つの突出部、有利には突出部２０の各々がナット８の一の表面を押圧するように、画定されている。突出部２０の集合体は、ナット８上のキャップ１を半径方向に係止し、基部２の下端部は、ワッシャ９の周りにおけるキャップ１の半径方向への係止部を形成する。概して、本発明は、１つ以上の突出形状が基部２の内壁２１から出てくるように配置されることを提案し、かつ、これらの突出形状の寸法が、一旦、キャップ１が固定手段１５上に置かれると、キャップ１がこの固定手段１５に対して半径方向に係止されるように画定されることを提案する。
【００３６】
本発明によるキャップ１は、駆動部６、より一般的にはワイパーアーム１４を駆動装置の軸７に固定するための固定手段１５のためのカバー及び保護の両方を作り出すことを可能にし、ワイパーブレード本体に流体を輸送するための可撓性パイプ４を適所に収容して保持することを可能にする。可撓性パイプ４はまた、ワイパーアーム１４によって支持されたスプレー手段に流体を搬送することを可能にし得る。
【００３７】
図３は、フロントガラスタイプの拭き取られる表面１０の下部に取り付けられた流体輸送パイプ４およびワイパーアーム１４を含むキャップ１のレイアウトを上方からより正確に示している。この図は、ワイパーアーム１４の駆動部６、すなわち、その駆動装置の最も近い部分、キャップ１、および、ワイパーアーム１４の反対側の端部に取り付けられた図示しないワイパーブレードに洗浄流体を輸送するためのパイプ４を示している。
【００３８】
流体輸送パイプ４は、車両の窓パネル１３の取付部１２に形成された開口１１を介して出現し、パイプ４は、例えばボンネットの下方に位置付けられた貯蔵装置に収容された流体を搬送する。ワイパーアーム１４を駆動するための装置の回転軸７も取付部１２を介して出現しており、この軸はキャップ１によって覆われている。また、パイプ４は、キャップ１の上壁３に配置された溝５に挿入されている。
【００３９】
有利には、駆動部６を固定するための固定手段上に予め置かれたキャップ１は、溝５がその長手方向の延長部に沿って、ワイパーアーム１４の長手方向に平行に延びるように置かれている。一旦、第１および第２突起部５２ａ、５２ｂの存在により溝５内に挿入され保持されると、流体輸送パイプ４は、上述した方向を参照して、ワイパーアーム１４上にそれ自体を見出す。
【００４０】
有利には、本発明は、パイプ４が、上述した方向を参照して、下方に向けられ、ワイパーアーム１４の駆動部６においてこの目的のために製造された通路開口６１に挿入されることを提案しており、パイプがワイパーアーム６の下を通過することによりワイパーブレードに向かって搬送され、パイプ４がワイパーアーム１４と窓パネル１３との間に延びるようになる。
【００４１】
本発明の一実施の形態によれば、長手軸ＯＸに沿って測定される、キャップ１と通路開口６１との間の距離は、一旦、溝５内に挿入されて保持された可撓性パイプ４が、可撓性パイプ４が湾曲することなく、また、可撓性パイプ４に損傷を与えるか、あるいはその動作を損なう可能性のある屈曲を加えることなく、この通路開口を通って案内されることができるように、画定されている。パイプ４はワイパーブレードに続く経路において、ワイパーアーム１４によって潜在的なノッキングから保護され、外部環境から発生し得る汚れおよび／またはゴミには殆ど曝されない。
【００４２】
キャップ１は、協調手段１７によって駆動部６に締め付けられていることに留意されたい。これにより、パイプ４と駆動部６との間に動きがないことを確実にすることができ、この特定の領域におけるパイプの完全性を保証する。パイプ４は、ワイパーアーム１４の往復運動中にキャップ１によって加えられる運動を吸収するように設計された専用ループ（dedicated loop）２５を含んでいる。
【００４３】
従って、本発明は、上述したようなキャップ１の存在により、駆動部をその駆動装置に固定するための固定手段、および、例えば１つ以上の分配ノズルを介して、拭き取られる表面に可能な限り近づけて分配され得る洗浄流体を、ワイパーブレードに輸送するためのパイプの両方を保護するための、単純であって信頼でき、かつ低コストな解決策を提案することを可能にする。
【００４４】
また、図３に示すように、本発明により提案された配置は、拭き取られる表面の下部において、外部体積が小さく、さらに、例えば歩行者への潜在的な衝撃により損傷を引き起こす可能性がある鋭い端部を含まないことに留意されたい。
【００４５】
しかしながら、本発明は、記載および説明された手段や構成に減縮されるべきではなく、すべての均等な手段や構成およびそのような手段の任意の組み合わせにも適用されるべきである。特に、溝５は、上述の説明において、本発明によるキャップ１の上壁３の頂部に構成されているが、本発明を損なうことなく、この上壁の別の領域に、またはこのキャップの底壁にも構成することができ、拭き取られる表面の下部の体積および設置に関する特定の問題に適するように、例えば、キャップ１、駆動部６および流体輸送パイプ４によって形成される組立体の形状に適合することができる。
【図１】
2018167826.tif 000003
【図２】
2018167826.tif 000004
【図３】
2018167826.tif 000005
【外国語明細書】
2018167826000001.pdf